(57)【要約】【課題】外力による収納物の破損を効果的に防止できるとともに、安価に製作可能で、しかも組立姿勢と折畳姿勢とにワンタッチで切り替え可能に構成することで、輸送コストを低減できるとともに、使用後の廃棄が容易な収納箱を提供する。【解決手段】折畳姿勢と展開姿勢とに切り替え可能で且つ上面を開放した箱体２と、箱体２の上面開口部を開閉するため、箱体２の後側板３Ｂの上端に連設した蓋体４と、前側板３Ｆに第１折目線Ｌ１３を介して連設した支持板２０とを備え、支持板２０の途中部に第２折目線Ｌ１４を形成し、第２折目線Ｌ４を箱体２の底面側へ折り曲げるとともに、支持板２０の先端部を後側板３Ｂの内面上部に当接させることによって、第２折目線Ｌ１４を挟んでその両側に、箱体２に貼着することなく内装される先端側傾斜部２０ａ及び基端側傾斜部２０ｂを設け、先端側傾斜部２０ａ及び基端側傾斜部２０ｂに収納物Ｓの一端側と他端側とがそれぞれ嵌合する複数組の保持孔２１、２２を形成した。【選択図】図１
2008239191.tif 000002
【特許請求の範囲】
【請求項１】
折畳姿勢と展開姿勢とに切り替え可能で且つ上面を開放した箱体と、
前記箱体の上面開口部を開閉するため、前記箱体の第１側板の上端に連設した蓋体と、
前記第１側板に対面する第２側板の上端に第１折目線を介して連設した支持板と、
を備え、
前記支持板の途中部に第１折目線と平行な第２折目線を形成し、
前記第２折目線を箱体の底面側へ折り曲げるとともに、支持板の先端部を前記第１側壁の内面上部に当接させることによって、第２折目線を挟んでその両側に、箱体に貼着することなく内装される先端側傾斜部及び基端側傾斜部を設け、
前記先端側傾斜部及び基端側傾斜部に、前記箱体に対する収納物の一端側と他端側とがそれぞれ嵌合する保持孔を前記第２折目線の長さ方向に設定間隔をあけて複数形成した、
ことを特徴とする収納箱。
【請求項２】
前記先端側傾斜部の先端部に、支持板を引き出すための摘み部を突出形成した請求項１記載の収納箱。
【請求項３】
前記支持板の両側部に箱体の側板内面に圧接されて、支持板を箱体内に保持する圧接部を突出形成した請求項１又は２記載の収納箱。
【請求項４】
前記保持孔の内側へ延びて収納物に圧接される圧接片を前記支持板に一体的に形成した請求項１〜３のいずれか１項記載の収納箱。
【請求項５】
前記先端側傾斜部の先端部から第２側板側へ延びて、収納物を上側から押さえる押え板を、先端側傾斜部の先端部に連設した請求項１〜４のいずれか１項記載の収納箱。
【請求項６】
前記保持孔に収納物を摘み易くするための指挿入用の切欠部を形成した請求項１〜５のいずれか１項記載の収納箱。
【請求項７】
前記請求項１〜６のいずれか１項記載の収納箱の蓋体を省略してなる内箱と、この内箱を１乃至複数個収納可能な外箱とを備えたことを特徴とする収納箱。
【請求項８】
前記内箱における箱体の側板に、積み重ねた内箱の側方への移動を規制する第１規制片を上方へ向けて突出形成した請求項７記載の収納箱。
【請求項９】
前記内箱における箱体の側板に、積み重ねた内箱の箱体内への侵入を規制する第２規制片を開口部の内側へ突出状に形成した請求項７又は８記載の収納箱。
【請求項１０】
前記内箱における箱体の側板に、持ち運び用の１対の取手片を上方へ突出状に形成した請求項８〜９のいずれか１項記載の収納箱。
【発明の詳細な説明】
【技術分野】
【０００１】
本発明は、医薬品等が充填されたアンプル、バイアル瓶、チューブ状容器などの細長い収納物を収納するのに好適な収納箱に関する。
【背景技術】
【０００２】
医薬品等を充填したアンプルやバイアル瓶などの収納物を収納するための収納箱として、収納物の一端部と他端部とを保持する保持孔を有し、収納物を緩衝支持する内箱と、内箱を収納する外箱とを備えたものが広く採用されている（例えば、特許文献１参照。）。
【０００３】
また、アンプル用の収納箱として、上面を開放した箱体と、前記箱体の上面開口部を開閉するため、前記箱体の第１側板の上端に連設した蓋体と、前記第１側板に対面する第２側板の上端に第１折目線を介して連設した支持板とを備え、この支持板の途中部に倒立Ｖ字状に折曲してなる第１保持部を形成し、支持板の基部側に第１折目線から第１保持部の一方の下端部まで延びる傾斜状の第２保持部を形成し、第１保持部にアンプルの先端側を保持する切欠部を形成し、第２保持部にアンプルの基部を保持する保持孔を形成するとともに、第１保持部の両側において支持板を箱体の底面に貼着した収納箱も提案されている（例えば、特許文献２参照。）。
【０００４】
一方、直方体状に組み立てた組立姿勢と、平板状に折り畳んだ折畳姿勢とに、ワンタッチで切り替え可能な収納箱も、種々提案され実用化されている（例えば、特許文献３参照。）。
【０００５】
【特許文献１】実開平６−１４０２２号公報
【特許文献２】特開平９−１１８３３２号公報
【特許文献３】実開昭５７−１８０６１７号公報
【発明の開示】
【発明が解決しようとする課題】
【０００６】
特許文献１記載の収納箱では、内箱と外箱の２種類の箱を用いているので、収納箱の製作コストが高くなるという問題がある。また、この収納箱では、人手により簡単に組み立てたり折り畳んだりできないので、組み立てた状態で製薬会社等のユーザーへ輸送することになるが、嵩張ることから輸送コストが高くなるという問題がある。しかも、最近では資源を有効活用するため、廃棄物を分別回収して、再利用できるものは極力再利用することが社会的な要請として強くなっているが、特許文献１記載の収納箱では、折り畳み可能に構成されていないので、アンプル剤等の使用後における廃棄物の解体作業が煩雑になるという問題もある。
【０００７】
一方、特許文献２記載の収納箱では、内箱と外箱の機能を１つの収納箱に付与できるので、紙の使用量を少なくして、収納箱を安価に製作できるとともに資源を有効活用できるという利点がある。しかし、この収納箱では、特許文献１記載の収納箱と同様に、人手により簡単に組み立てたり折り畳んだりできないので、輸送コストが高くなるとともに、廃棄物の解体作業が煩雑になるという問題がある。更に、支持板が箱体外へ突出しないように、倒立Ｖ字状の第１保持部の両側が箱体の底面に貼着しているので、第１保持部及び第２保持部のクッション性を十分に確保できず、外力による収納物の破損を効果的に防止できないという問題がある。
【０００８】
本発明の目的は、外力による収納物の破損を効果的に防止できるとともに、安価に製作可能で、しかも組立姿勢と折畳姿勢とにワンタッチで切り替え可能に構成することで、輸送コストを低減できるとともに、使用後の廃棄が容易な収納箱を提供することである。
【課題を解決するための手段】
【０００９】
本発明に係る第１の収納箱は、折畳姿勢と展開姿勢とに切り替え可能で且つ上面を開放した箱体と、前記箱体の上面開口部を開閉するため、前記箱体の第１側板の上端に連設した蓋体と、前記第１側板に対面する第２側板の上端に第１折目線を介して連設した支持板とを備え、前記支持板の途中部に第１折目線と平行な第２折目線を形成し、前記第２折目線を箱体の底面側へ折り曲げるとともに、支持板の先端部を前記第１側壁の内面上部に当接させることによって、第２折目線を挟んでその両側に、箱体に貼着することなく内装される先端側傾斜部及び基端側傾斜部を設け、前記先端側傾斜部及び基端側傾斜部に、前記箱体に対する収納物の一端側と他端側とがそれぞれ嵌合する保持孔を前記第２折目線の長さ方向に設定間隔をあけて複数形成したものである。
【００１０】
この第１の収納箱では、箱体を展開姿勢に切り替えた状態で、第２折目線を箱体の底面側へ折曲させて、支持板を箱体内に組み込むことで、収納箱を容易に組み立てることができる。そして、収納箱を組み立てた状態で、支持板の先端側傾斜部及び基端側傾斜部の保持孔に、収納物の一端側と他端側とを嵌合させて、収納箱内に収納物を装填することになる。また、収納物の使用時には、蓋体を開放して、収納物を摘んで取り出すことができ、収納物の使用後は、支持板を外側へ引き出して、箱体を折畳姿勢に切り替えるとともに、折り畳まれた箱体に支持板を重ね合わせて、収納箱を平板状に折り畳むことができる。
【００１１】
このように、この第１の収納箱では、１つの箱で収納箱を構成できるので、内箱と外箱とを用いる場合と比較して、紙の使用量を少なくでき、収納箱の製作コストを低減できる。また、収納箱を容易に組み立てることができるので、収納箱を折り畳んだ状態で、製薬会社等へ輸送し、製薬会社等において組み立てることが可能となり、収納箱の輸送コストを低減できる。また、先端側傾斜部及び基端側傾斜部を箱体に貼着することなく箱体に内装しているので、先端側傾斜部及び基端側傾斜部の弾性変形の自由度が高くなって、先端側傾斜部及び基端側傾斜部のクッション性が高くなり、外力による収納物の破損を効果的に防止できる。更に、収納物の使用後は、支持板を引き出して、収納箱を平板状に折り畳むことができるので、廃棄物が嵩張ることもない。
【００１２】
ここで、前記第１の収納箱において、前記先端側傾斜部の先端部に、支持板を引き出すための摘み部を突出形成することが好ましい実施の形態である。この場合には、収納箱を折り畳むときに、摘み部を摘んで、支持板を容易に引き出すことができる。
【００１３】
前記第１の収納箱において、前記支持板の両側部に箱体の側板内面に圧接されて、支持板を箱体内に保持する圧接部を突出形成することもできる。このように構成すると、収納箱を組み立てた状態における、支持板の姿勢の安定性を向上できる。
【００１４】
前記第１の収納箱において、前記保持孔の内側へ延びて収納物に圧接される圧接片を前記支持板に一体的に形成することも好ましい実施の形態である。この場合には、圧接片により収納物を保持できるので、収納箱内における収納物の安定性を向上できる。
【００１５】
前記第１の収納箱において、前記先端側傾斜部の先端部から第２側板側へ延びて、収納物を上側から押さえる押え板を、先端側傾斜部の先端部に連設することも好ましい実施の形態である。医薬品等においては、説明書を収納箱に内装するので、この説明書により収納物を押さえることもできるが、この発明のように押え板を設けると、説明書を内装しないような収納物であっても、押え板により収納物を押さえることができるので、収納箱内における収納物の安定性を向上できる。
【００１６】
前記第１の収納箱において、前記保持孔に収納物を摘み易くするための指挿入用の切欠部を形成することもできる。この場合には、切欠部に指先を挿入して、保持孔に装填した収納物を指で摘めるので、収納物が取り出し易くなる。
【００１７】
本発明に係る第２の収納箱は、前記第１の収納箱の蓋体を省略してなる内箱と、この内箱を１乃至複数個収納可能な外箱とを備えたものである。
【００１８】
この第２の収納箱では、箱体を展開姿勢に切り替えた状態で、第２折目線を箱体の底面側へ折曲させて、支持板を箱体内に組み込むことで、内箱を容易に組み立てることができる。そして、内箱を組み立てた状態で、支持板の先端側傾斜部及び基端側傾斜部の保持孔に、収納物の一端側と他端側とを嵌合させて、内箱内に収納物を装填することになり、また収納物を収納した内箱は、外箱に対して、個別に或いは複数纏めて内装することになる。また、収納物の使用時には、外箱から内箱を取り出して、内箱に装填した収納物を摘んで取り出すことができ、収納物の使用後、外箱は、例えば従来のフラップ付きの箱と同様に、開閉用のフラップを外側へ引き出して折り畳み、内箱は、支持板を外側へ引き出して、内箱の箱体を折畳姿勢に切り替えるとともに、折り畳まれた箱体に支持板を重ね合わせて、平板状に折り畳むことができる。
【００１９】
この第２の収納箱では、内箱と外箱の２つの箱を用いているので、紙の使用量は増えるが、内箱を容易に組み立てることができ、また外箱も容易に組み立て可能な周知の構成のものを採用できるので、内箱及び外箱を折り畳んだ状態で、製薬会社等へ輸送し、製薬会社等において両箱を組み立てることが可能となり、収納箱の輸送コストを低減できる。また、前記第１の収納箱と同様に、先端側傾斜部及び基端側傾斜部を箱体に貼着することなく箱体に内装しているので、先端側傾斜部及び基端側傾斜部の弾性変形の自由度が高くなって、先端側傾斜部及び基端側傾斜部のクッション性が高くなり、外力による収納物の破損を効果的に防止できる。更に、収納物の使用後は、支持板を引き出して、内箱を平板状に折り畳むことができ、また外箱に関しても折り畳み可能なものを採用できるので、廃棄物としての内箱及び外箱が嵩張ることもない。
【００２０】
ここで、前記第２の収納箱において、前記内箱における箱体の側板に、積み重ねた内箱の側方への移動を規制する第１規制片を上方へ向けて突出形成することも好ましい実施の形態である。この場合には、外箱内に複数積み重ねた内箱が、輸送時等の振動で側方へ位置ずれすることを第１規制片で防止でき、外力に対する収納物の安定性を向上できる。
【００２１】
前記第２の収納箱において、前記内箱における箱体の側板に、積み重ねた内箱の箱体内への侵入を規制する第２規制片を開口部の内側へ突出状に形成することも好ましい実施の形態である。この場合には、上側に積み重ねた内箱が下側の内箱内にめり込んで、下側の内箱が破損することを第２規制片で防止できる。
【００２２】
前記第２の収納箱において、前記内箱における箱体の側板に、持ち運び用の１対の取手片を上方へ突出状に形成することも好ましい実施の形態である。この場合には、取っ手片を摘んで、外箱から内箱を容易に取り出すことができる。
【発明の効果】
【００２３】
本発明に係る第１の収納箱によれば、１つの箱で収納箱を構成できるので、内箱と外箱とを用いる場合と比較して、紙の使用量を少なくでき、収納箱の製作コストを低減できる。また、収納箱を容易に組み立てることができるので、収納箱を折り畳んだ状態で、製薬会社等へ輸送し、製薬会社等において組み立てることが可能となり、収納箱の輸送コストを低減できる。また、先端側傾斜部及び基端側傾斜部を箱体に貼着することなく箱体に内装しているので、先端側傾斜部及び基端側傾斜部の弾性変形の自由度が高くなって、先端側傾斜部及び基端側傾斜部のクッション性が高くなり、外力による収納物の破損を効果的に防止できる。更に、収納物の使用後は、支持板を引き出して、収納箱を平板状に折り畳むことができるので、廃棄物が嵩張ることもない。
【００２４】
本発明に係る第２の収納箱によれば、内箱と外箱の２つの箱を用いているので、紙の使用量は増えるが、内箱を容易に組み立てることができ、また外箱も容易に組み立て可能な周知の構成のものを採用できるので、内箱及び外箱を折り畳んだ状態で、製薬会社等へ輸送し、製薬会社等において両箱を組み立てることが可能となり、収納箱の輸送コストを低減できる。また、前記第１の収納箱と同様に、先端側傾斜部及び基端側傾斜部を箱体に貼着することなく箱体に内装しているので、先端側傾斜部及び基端側傾斜部の弾性変形の自由度が高くなって、先端側傾斜部及び基端側傾斜部のクッション性が高くなり、外力による収納物の破損を効果的に防止できる。更に、収納物の使用後は、支持板を引き出して、内箱を平板状に折り畳むことができ、また外箱に関しても折り畳み可能なものを採用できるので、廃棄物としての内箱及び外箱が嵩張ることもない。
【発明を実施するための最良の形態】
【００２５】
以下、本発明の実施の形態について図面を参照しながら説明する。尚、本実施の形態では、図１に示す組立姿勢における収納箱１を基準に、前後左右を定義して説明する。
【００２６】
図１〜図４に示すように、収納箱１は、折畳姿勢と展開姿勢とに切り替え可能で且つ上面を開放した箱体２と、箱体２の上面開口を開閉するため、前記箱体２の後側板（これが第１側板に相当する）３Ｂの上端に連設した蓋体４とを備え、厚紙や、厚紙に合成樹脂フィルムをラミネートした積層シートや、厚手の合成樹脂フィルム又はシート等などの１枚もののシート材で構成されている。
【００２７】
先ず、収納箱１の基本構成について、図１〜図６を参照しながら説明する。
図３は、ブランキング状態での素材シートを示すもので、収納箱１の前側板（これが第１側板に相当する）３Ｆには左側板３Ｌ及び右側板３Ｒが折目線Ｌ１、Ｌ２を挟んでそれぞれ連設され、左側板３Ｌには後側板３Ｂが折目線Ｌ３を挟んで連設され、後側板３Ｂには折目線Ｌ４を挟んで糊代部５が連設されている。そして、４つの側板３Ｆ、３Ｂ、３Ｌ、３Ｒは、素材シートの裏面側を内側にして折目線に沿って折り曲げて、糊代部５を右側板３Ｒに糊付けすることで、平面視方形状に組み立てられる。
【００２８】
左右の側板３Ｌ、３Ｒの上端には折目線Ｌ５、Ｌ６を挟んで左右の側部翼板６Ｌ、６Ｒが回動自在に連設され、後側板３Ｂの上端には折目線Ｌ７を挟んで蓋体４が回動自在に連設されている。蓋体４の遊端部には閉蓋時に前側板３Ｆの外側に重ね合される閉止部７が折目線Ｌ８を挟んで連設され、閉止部７の左右両側部には斜めのミシン目８を介して切り離し可能な細長い三角形状の切取部７ａが形成され、閉止部７の中央部には収納箱１の前側板３Ｆに形成した円弧状の切込部９に差込み可能な開封操作片７ｂが形成されている。この収納箱１では、箱体２を組み立てて収納物Ｓを装填し、その後左右の側部翼板６Ｒ、６Ｌを内側へ倒すとともに、蓋体４を前側へ倒して、左右の切取部７ａをホットメルト接着剤１７などにより前側板３Ｆに接着することで、図２に示すように、収納箱１を閉蓋状態に封止でき、開封操作片７ｂを指で摘んで、図１に仮想線で示すように、ミシン目８に沿って切取部７ａを切り離すことで、蓋体４を開封できるように構成されている。また、開封後に前側板３Ｆの切込部９に開封操作片７ｂを差し込むことで、蓋体４を閉蓋状態に仮止め可能に構成されている。
【００２９】
収納箱１の底板１０は、収納箱１を折り畳み可能するため、次のように構成されている。
左側板３Ｌの下端には折目線Ｌ９を挟んで台形状の左底板１０Ｌが回動自在に連設され、右側板３Ｒの下端には折目線Ｌ１０を挟んで右底板１０Ｒが回動自在に連設され、前側板３Ｆの下端には折目線Ｌ１１を挟んで前底板１０Ｆが回動自在に連設され、後側板３Ｂの下端には折目線Ｌ１２を挟んで後底板１０Ｂが回動自在に連設されている。尚、折目線Ｌ１〜Ｌ１２は、それに沿って素材シートを折り曲げ易くするために形成したもので、細長い条溝を素材シートに型付けしたり、素材シートをハーフカットしたりするなど、周知の方法により形成されている。
【００３０】
前底板１０Ｆにはその右前端部から折目線Ｌ１１に対して約４５°の傾斜角度で斜め後方へ延びる折曲案内線１１が形成され、後底板１０Ｂにはその左後端部から折目線Ｌ１２に対して約４５°の傾斜角度で斜め前方へ延びる折曲案内線１２が形成されている。尚、折曲案内線１１、１２は、細長い条溝を素材シートに型付けしたり、素材シートをハーフカットしたりするとともに、その途中部にミシン目或いは切り込みを一定間隔おきに形成したもので、折目線Ｌ１〜Ｌ１２よりも容易に折曲できるように構成されている。
【００３１】
前底板１０Ｆの折曲案内線１１より右後側には折曲案内線１１を中心として回動可能な取付部１０Ｆａが形成され、この取付部１０Ｆａを右底板１０Ｒの下側に重ね合わせて糊付部１３において糊付けすることで、前底板１０Ｆと右底板１０Ｒとは貼着されている。後底板１０Ｂの折曲案内線１２よりも左前側には折曲案内線１２を中心として回動可能な取付部１０Ｂａが形成され、この取付部１０Ｂａを左底板１０Ｌの下側に重ね合わせて糊付部１４において糊付けすることで、左底板１０Ｌと後底板１０Ｂとは貼着されている。前底板１０Ｆの左側部分と後底板１０Ｂの右側部分は最も内側に配置され、左底板１０Ｌと右底板１０Ｒとは前底板１０Ｆと後底板１０Ｂ間に配置されている。
【００３２】
そして、収納箱１を折り畳む際には、折曲案内線１１、１２に沿って前底板１０Ｆ及び後底板１０Ｂを上側へ折り曲げるとともに、それに連動させて底板１０Ｆ、１０Ｂ、１０Ｌ、１０Ｒをそれぞれ折目線Ｌ１１、Ｌ１２、Ｌ９、Ｌ１０に沿って折り曲げながら、収納箱１の右前端部と左後端部を相互に離間させ、図６に示すように、収納箱１を略平板状に折り畳めるように構成されている。尚、前底板１０Ｆと後底板１０Ｂの遊端側の左右方向の中央部には係合部１５、１６が形成され、収納箱１を組立姿勢とした状態で係合部１５、１６が相互に係合することで、底板１０Ｆ、１０Ｂ、１０Ｌ、１０Ｒの上方への回動が規制され、収納箱１に収納した収納物Ｓを容易には取り出せないように構成されている。
【００３３】
本発明は、前述のような基本構成の収納箱１において、前側板（これが第２側板に相当する。）３Ｆの上端に第１折目線Ｌ１３を介して連設した支持板２０を設け、支持板２０の途中部に第１折目線Ｌ１３と平行な第２折目線Ｌ１４を形成し、第２折目線Ｌ１４を箱体２の底面側へ折り曲げるとともに、支持板２０の先端部を後側板３Ｂの内面上部に当接させることによって、第２折目線Ｌ１４を挟んでその両側に、箱体２に貼着することなく内装される先端側傾斜部２０ａ及び基端側傾斜部２０ｂを設け、先端側傾斜部２０ａ及び基端側傾斜部２０ｂに、箱体２に対する収納物Ｓの一端側と他端側とがそれぞれ嵌合する複数組の保持孔２１、２２を第２折目線Ｌ１４の長さ方向に設定間隔をあけて複数組形成したものである。但し、収納箱１としては、折畳姿勢と組立姿勢とにワンタッチで姿勢切替可能な収納箱１であれば、前述した基本構成の収納箱１以外の任意の構成の収納箱を採用することもできる。尚、折目線Ｌ１３、Ｌ１４は、折目線Ｌ１〜Ｌ１２と同様に、細長い条溝を素材シートに型付けしたり、素材シートをハーフカットしたりするなど、周知の方法により形成されている。
【００３４】
収納物Ｓとしては、細長い形状のものであれば、医薬品や食品、工業用品や事務用品など任意の分野で利用される、液状物を充填したアンプルやバイアル瓶、粘性物を充填したチューブ状容器、或いは細長い棒状の容器や製品を収納することができる。
【００３５】
支持板２０は、前側板３Ｆの左右方向の略全幅にわたって連設されている。基端側傾斜部２０ｂの長さは収納箱１の内面の前後方向の長さよりもやや短尺に設定され、先端側傾斜部２０ａの長さは収納箱１の深さよりもやや長尺に設定され、第２折目線Ｌ１４で支持板２０を折曲させて、基端側傾斜部２０ｂと先端側傾斜部２０ａを下側へ向けて突出する略Ｌ字状に箱体２内に組み付けた状態で、第２折目線Ｌ１４が収納箱１の底面に当接し、先端側傾斜部２０ａの先端部が蓋体４を開閉操作するための折目線Ｌ７と略同じ高さ位置或いはやや低い位置に配置されるように構成されている。収納箱１に組み付けた状態において、基端側傾斜部２０ｂは、平坦な傾斜面で構成され、収納物Ｓを装填した状態で、収納物Ｓの自重により、下側へ向けて突出する緩やかな湾曲状に変形することで、収納箱１の緩衝性能を向上できるように構成されている。先端側傾斜部２０ａの左右方向の略中央部には上方へ突出する摘み部２３が折目線Ｌ１５を挟んで折り曲げ可能に設けられ、使用後の収納箱１を折り畳むときに、この摘み部２３を摘まんで支持板２０を箱体２から引き出せるように構成されている。
【００３６】
先端側傾斜部２０ａの高さ方向の途中部には、収納物Ｓの先端部が嵌合する略丸孔状の第１保持孔２１が左右方向に一定間隔おきに形成され、基端側傾斜部２０ｂの途中部には、収納物Ｓの基端側部分が嵌合する前後方向に細長い流線形状の第２保持孔２２が第１保持孔２１に対応させて左右方向に一定間隔おきに形成されている。図４に示すように、収納物Ｓを収納箱１に装填した状態で、収納物Ｓと収納箱１の底板１０間には隙間Ｔが形成され、収納物Ｓは支持板２０に弾性支持されている。
【００３７】
先端側傾斜部２０ａは先端側へ行くに従って幅広に構成され、先端側傾斜部２０ａの左右両側部の先端側部分には左側板３Ｌと右側板３Ｒ間の間隔よりもやや幅広な圧接部２４が形成され、支持板２０は、箱体２内に組み付けた状態で、この圧接部２４が箱体２の左側板３Ｌと右側板３Ｒとにそれぞれ圧接することで、両者間の摩擦抵抗により箱体２内に安定性良く保持されている。但し、図３に示すように、先端側傾斜部２０ａの左右両側部の先端部に側方へ突出する圧接部２４Ａを形成し、この圧接部２４Ａを箱体２の内面に圧接させて、支持板２０を箱体２内に保持することもできる。また、先端側傾斜部２０ａの左右両側部や先端部に突出片を形成し、この突出片に嵌合するスリットを箱体２に形成して、突出片をスリットに嵌合させて、支持板２０を箱体２内に保持することも可能である。
【００３８】
この収納箱１では、図６に示す折畳姿勢から、図１に示す展開姿勢に箱体２の姿勢を切り替えた状態で、第２折目線Ｌ１４を箱体２の底面側へ折曲させて、支持板２０を箱体２内に挿入し、支持板２０の圧接部２４を左右の側板３Ｌ、３Ｒにそれぞれ圧接させて支持板２０を箱体２内に保持させ、収納箱１を容易に組み立てることになる。そして、収納箱１を組み立てた状態で、支持板２０の先端側傾斜部２０ａ及び基端側傾斜部２０ｂの保持孔２１、２２に、収納物Ｓの先端部と基端側部分とを嵌合させて、収納箱１内に収納物Ｓを装填するとともに、収納物Ｓの取扱説明書等を装填し、図２に示すように、蓋体４を閉蓋して閉止部７を前側板３Ｆにホットメルト接着剤１７などにより接着して、収納箱１を封着することになる。蓋体４を開封する際には、開封操作片７ｂを摘んで、図１に仮想線で示すように、ミシン目８に沿って蓋体４から切取部７ａを切り離し、蓋体４を開封することになる。そして、収納物Ｓを摘んで取り出すことができ、また開封操作片７ｂを切込部９に挿入して、蓋体４を閉蓋状態に仮止めすることもできる。また、収納物Ｓの使用後は、支持板２０を外側へ引き出して、箱体２を折畳姿勢に切り替えるとともに、折り畳まれた箱体２に支持板２０を重ね合わせて、収納箱１を平板状に折り畳むことができる。
【００３９】
収納箱１では、収納箱を１つの箱で構成できるので、内箱と外箱とを用いる場合と比較して、紙の使用量を少なくでき、収納箱１の製作コストを低減できる。また、収納箱１をワンタッチで折畳姿勢から組立姿勢に姿勢切替えできるので、図６に示すように、収納箱１を折り畳んだ状態で、製薬会社等へ輸送し、製薬会社等において組み立てることが可能となり、収納箱１の輸送コストを低減できる。また、先端側傾斜部２０ａ及び基端側傾斜部２０ｂを箱体２に貼着することなく箱体２に内装しているので、先端側傾斜部２０ａ及び基端側傾斜部２０ｂの弾性変形の自由度が高くなって、先端側傾斜部２０ａ及び基端側傾斜部２０ｂのクッション性が高くなり、外力による収納物Ｓの破損を効果的に防止できる。更に、収納物Ｓの使用後は、支持板２０を引き出して、収納箱１を平板状に折り畳むことができるので、廃棄物の減容化が可能となる。
【００４０】
次に、前記実施の形態を部分的に変更した他の実施の形態について説明する。尚、前記実施の形態と同一部材には同一符号を付してその詳細な説明を省略する。
（１）図７に示すように、支持板２０の基端側傾斜部２０ｂの保持孔２２に収納物Ｓを摘み易くするための指挿入用の半円状の切欠部３０を形成することもできる。この場合には、切欠部３０に指先を挿入して、収納物Ｓを摘むことができるので、収納物Ｓの取り出し性を向上することができる。
【００４１】
（２）図８に示すように、支持板２０の基端側傾斜部２０ｂの保持孔２２に内側へ延びる左右１対の圧接片３１を支持板２０に一体的に形成することもできる。この場合には、保持孔２２に装填した収納物Ｓの左右側部に圧接片３１が圧接されるので、収納物Ｓを安定性良く保持できる。
【００４２】
（３）図９に示す収納箱１Ａのように、先端側傾斜部２０ａの先端部から第２側板側へ延びて、収納物Ｓを上側から押さえる押え板３２を、先端側傾斜部２０ａの先端部に折目線Ｌ１６を挟んで連設することも可能である。この場合には、押さ板３２により収納物Ｓを上側から押さえることができるので、収納物Ｓの破損を一層効果的に防止することができる。また、押え板３２を設ける場合には、押え板３２に収納物Ｓに対応させて楕円形などの覗き穴３３を形成することもできる。
【００４３】
（４）図１０に示す収納箱１Ｂのように、前記収納箱１の蓋体４及び左右の側部翼板６Ｌ、６Ｒを省略してなる１乃至複数の内箱３４を設け、この内箱３４を折り畳み可能な外箱３５に、個別に或いは複数個を積み重ねて収納することもできる。外箱３５としては、内箱３４を略隙間なく収納可能な大きさで且つ折り畳み可能なものであれば、任意の構成のものを採用することができる。
【００４４】
また、この収納箱１Ｂにおいて、内箱３４の前側板３Ｆと後側板３Ｂに上方へ突出する第１規制片３６を設け、この第１規制片３６により上側に積み重ねられる内箱３４の側方への移動を規制できるように構成することもできる。また、上側に積み重ねた内箱３４が下側の内箱３４内にめり込まないように、内箱３４の前側板３Ｆと後側板３Ｂに内箱３４の内側へ略水平に延びる第２規制片３７を設けることもできる。更に、図１０に仮想線で示すように、内箱３４における箱体２の左右の側板３Ｌ、３Ｒに、持ち運び用の１対の取手片３８を上方へ突出状に形成することも好ましい実施の形態である。
【００４５】
尚、本実施の形態では、収納物Ｓとしてチューブ状容器を収納する場合について説明したが、チューブ状容器以外の収納物Ｓを収納することも可能で、この場合には第１保持孔２１及び第２保持孔２２の形状を収納する収納物Ｓに適合する形状や寸法に形成することになる。例えば、図１１、図１２に示す収納箱１Ｃのように、収納物ＳとしてアンプルＡを収納する場合には、アンプルＡの基端側部分と先端側部分の形状に適合した保持孔２１Ｃ、２２Ｃを支持板２０Ｃの先端側傾斜部２０Ｃａ及び基端側傾斜部２０Ｃｂとにそれぞれ形成することになる。また、この場合には、アンプルＡの先端近傍部を保持するための保持片３９を、保持孔２１Ａの内側へ向けて突出状に形成し、アンプルＡの上方への移動を制限することもできる。
【図面の簡単な説明】
【００４６】
【図１】組立状態での収納箱の斜視図
【図２】封止状態での収納箱の斜視図
【図３】同収納箱の素材シートの平面図
【図４】図２のＩＶ−ＩＶ線断面図
【図５】同収納箱の底面図
【図６】同収納箱の折畳姿勢での正面図
【図７】他の構成の支持板の平面図
【図８】他の構成の支持板の平面図
【図９】他の構成の収納箱の開蓋状態での斜視図
【図１０】他の構成の収納箱の斜視図
【図１１】他の構成の収納箱の組立状態での斜視図
【図１２】同収納箱の素材シートの平面図
【符号の説明】
【００４７】
Ｓ        収納物
１        収納箱        ２        箱体
３Ｂ      後側板        ３Ｆ      前側板
３Ｌ      左側板        ３Ｒ      右側板
４        蓋体          ５        糊代部
６Ｌ      側部翼板      ６Ｒ      側部翼板
７        閉止部        ７ａ      切取部
７ｂ      開封操作片    ８        ミシン目
９        切込部        １０      底板
１０Ｂ    後底板        １０Ｂａ  取付部
１０Ｆ    前底板        １０Ｆａ  取付部
１０Ｌ    左底板        １０Ｒ    右底板
１１      折曲案内線    １２      折曲案内線
１３      糊付部        １４      糊付部
１５      係合部        １６      係合部
１７      接着剤
２０      支持板        ２０ａ    先端側傾斜部
２０ｂ    基端側傾斜部  ２１      保持孔
２２      保持孔        ２３      摘み部
２４      圧接部        ２４Ａ    圧接部
Ｌ１〜Ｌ１４  折目線    Ｔ        隙間
３０      切欠部        ３１      圧接片
１Ａ      収納箱        ３２      押え板
Ｌ１６    折目線        ３３      覗き穴
１Ｂ      収納箱        ３４      内箱
３５      外箱          ３６      第１規制片
３７      第２規制片    ３８      取手片
１Ｃ      収納箱        Ａ        アンプル
２１Ｃ    保持孔        ２２Ｃ    保持孔
２０Ｃａ  先端側傾斜部  ２０Ｃｂ  基端側傾斜部
３９      保持片
【図１】
2008239191.tif 000003
【図２】
2008239191.tif 000004
【図３】
2008239191.tif 000005
【図４】
2008239191.tif 000006
【図５】
2008239191.tif 000007
【図６】
2008239191.tif 000008
【図７】
2008239191.tif 000009
【図８】
2008239191.tif 000010
【図９】
2008239191.tif 000011
【図１０】
2008239191.tif 000012
【図１１】
2008239191.tif 000013
【図１２】
2008239191.tif 000014